(57)【要約】【課題】物体上に施された全面収縮フィルム包装に開封用フィルムシールを装着する方法を提供すること。【解決手段】全面収縮フィルムによる包装が施された物体に、熱溶融性樹脂フィルムが積層された基材よりなる開封用フィルムシートの該樹脂フィルム面を包装用収縮フィルムの所定位置に合わせて置き、その上から所定形状の抜き型により加熱接着することを特徴とする開封シールの形成方法。【選択図】　　　なし【特許請求の範囲】
【請求項１】
全面収縮フィルムによる包装が施された物体に、熱溶融性樹脂フィルムが積層された基材よりなる開封用フィルムシールの該樹脂フィルム面を包装用収縮フィルム上の所定位置に合わせて置き、その上から所定形状の抜き型により加熱接着することを特徴とする開封用シールの形成方法。
【請求項２】
収縮フィルムがポリエチレンもしくはポリプロピレンフィルム又はポリアミドフィルムである請求項１に記載の方法。
【請求項３】
開封用フィルムシールの基材が易加工性金属箔、硬性樹脂フィルム、セルロース繊維シート又は紙である請求項１に記載の方法。
【請求項４】
開封用フィルムシールの基材上に積層される熱溶融性樹脂フィルムがポリエチレンもしくはポリプロピレンフィルム又はポリアミドフィルムである請求項１に記載の方法。
【請求項５】
加熱接着を８０〜５００℃、好ましくは１００〜３００℃の温度で行う請求項１〜４のいずれかに記載の方法。
【請求項６】
抜き型が矢印型の抜き型であり、かつ矢印の先端の角度が１０〜１７０°、好ましくは４０〜９０°である請求項１〜５のいずれかに記載の方法。
【発明の詳細な説明】
【０００１】
【発明の属する技術分野】
本発明は物体上に施された全面収縮フィルム包装に開封用フィルムシールを装着する方法に関する。
【０００２】
【従来の技術】
一般に、物体に全面収縮フィルムによる包装を行った後、開封することは必ずしも容易でない場合が多い。全面収縮フィルム包装の開封を容易にした簡便性に問題があり、装置も高価である。例えば、特開平７−１２５７６６号公報には、カセットケースをフィルムでシュリンク包装し、該ケース側面に形成されたフィルムのシーム部にＶ字型の切り込み線を形成し、この切り込み線及びその周辺にラベルを貼付し、このラベル一端を引き上げてフィルムをシーム部に沿って引き裂き開封する方式のシュリンク包装体が開示されているが、紙箱等にこの方法を適用するのは製品の損傷等を考慮すると好ましくないと考えられる。
【０００３】
特許第２７４４１８６号公報には、熱収縮性フィルムを自動包装機のライン上に供給し、脱気孔の穿設、熱収縮性フィルムの熱収縮時に該脱気孔を密閉する帯状の閉塞テープの供給、開封用切り込みの刻設、刻設部位へのラベルの貼着、カップ状容器の熱収縮性フィルムによる被包、解放部のシール、ならびに加熱を連続的かつ効率的に行う包装用フィルムの装着方法及び装置が開示されているが、大規模な装置を必要とする。
【０００４】
実公昭５８−１１７２８号公報には、底部と直立壁より構成されたトレーに物品を集積し、相対向する直立壁上縁部に熱収縮性フィルムを接合し、フィルムの熱収縮による緊締作用により被包装物品をトレーに結束し、トレーの下部部分にフィルムの切断機構を直立壁に沿って帯状に２列の貫通切り込みを設けたシュリンク包装体が開示されているが、この包装体は外界と内容物を遮断するものではない。
【０００５】
実公昭５０−５９１６号公報は塩化ビニリデン系合成樹脂の円筒形包装体において横方向周縁上に周縁の長さより短い合成樹脂フィルムテープを溶着して付着した開被用テープ付包装体に関するものであり、そして実公平８−２８０号公報は上記実公昭５０−５９１６号公報における食品包装体がレトルト工程、加熱工程で開封片が収縮変形し、溶着されていない両端部が円筒状を構成する包装フィルムから離れる方向にカールしやすくなる欠点を改良したものであり、熱収縮率の相違するフィルムを貼り合わせた開封片を円筒状の内装フィルムに熱接着するが、この際、開封片の熱収縮率の高い側面を円筒状の包装フィルムに円筒の円周方向に沿って高周波、超音波、熱等により溶着線を円筒の円周方向に沿って形成し、部分的に溶着し、開封片を熱収縮率の低い面と高い面をウレタン系接着剤により接着した構造を有し、そのため、レトルト等の加熱工程において、開封片は熱収縮率の高いフィルム側へ湾曲し、開封片の溶着されていない部分が包装フィルム側に押しつけられ開封片の剥離が防止できる包装体を開示している。しかし、上記包装体は、フィルムの接着部における熱収縮差が包装フィルムに形成された接着線の強度に影響するという問題があり、また、糊剤による開封片の包装フィルム上への固定はそれだけコストがかかる。
【０００６】
【課題を解決するための手段】
本発明は、全面収縮フィルムによる包装が施された物体に、熱溶融性樹脂フィルムが積層された基材よりなる開封用フィルムシートの該樹脂フィルム面を包装用収縮フィルムの所定位置に合わせて置き、その上から所定形状の抜き型により加熱接着することを特徴とする開封用シールの形成方法を提供するものである。
【０００７】
以下、本発明の開封シールの形成方法を適宜図面を参照しつつさらに詳細に説明する。
【０００８】
【発明の実施の形態】
本発明の方法は、図１に示すように、紙箱等の物体に、全面収縮フィルムによる包装を行った紙箱等の物体に、全面収縮フィルムによるシュリンク包装を行った後（図１−１）、包装に用いたフィルムと同系統または異種系統の樹脂フィルムが積層された基材よりなる開封用フィルムシールを収縮フィルム上に開封フィルムシールの樹脂フィルム側を合わせるようにして置き（図１−２）、その上から８０〜５００℃、好ましくは１００〜３００℃に加熱した、好ましくは矢印型の抜き型を押し当て（図１−３）開封フィルムシールを収縮フィルムに熱接着する（図１−４）。収縮フィルムと開封用フィルムシールの熱接着面は、図２に示すように、場合によっては収縮フィルムが溶断して薄膜となり、他方、その両側、すなわち、外側接合部及び内側接合部は開封用フィルムシールと収縮フィルムとが溶融一体化し、熱接着面の薄膜を保護するように作用する。
【０００９】
したがって、図１−５に示すように、開封用フィルムシールの一端を把持し、矢印の向きと逆方向に引っ張り上げると、収縮フィルムも熱接着面に沿って矢印状に共に容易に破断して、シュリンク包装に矢印状の開口部が形成される。そして、開封用フィルムシールをシュリンク包装に沿って引っ張ると、収縮フィルムは開口部から簡単に引き裂かれて開封される。
【００１０】
以上に述べたとおり、本発明は、製品に全面収縮シュリンク包装を施した後に、製品の形態に係わらず、所定の位置に、製品本体である紙箱等に損傷を与えることなく、開封用シールを矢印型、Ｖ字型等の接着面を形成するように熱接着するようにしたものであり、その結果、開封時に開口部を大きくすることができ、製品の取り出しを容易にすることができるという優れた効果を奏する。また、本発明によれば、開封フィルムシールを、基材に熱溶融性樹脂を共押出積層加工することによって形成することができるので、開封用フィルムシールと収縮フィルムとの熱接着面に大きな変形を生ずることがなく、前述のとおり、熱接着面の両側が保護され、包装製品の取り扱い及びシュリンク包装の開封が簡単になるという効果も得られる。
【００１１】
本発明の方法において、開封用フィルムシールの形状は特に制限されるものではなく、正方形、長方形、三角形、円形、楕円形等物体の形状に合わせて選択することができる。収縮フィルムに熱接着された開封用フィルムシールの非接着部位を把持して引き上げることにより、矢印型、Ｖ字型等の熱接着部位に沿って収縮フィルムに開口部が形成され、容易に開封することができる。
【００１２】
開封用フィルムシールの基材は、薄いシート状のものであれば、その材質には特に制限はないが、易加工性金属箔、例えばアルミニウム箔、硬性樹脂フィルム、セルロース繊維シート、紙等が挙げられ、また、これら基材に積層する熱溶融性樹脂フィルムとしては、例えば、ポリオレフィン系樹脂、特にポリエチレンもしくはポリプロピレンフィルム、ポリアミドフィルム等が挙げられる。
【００１３】
他方、包装に使用する収縮フィルムの材質としては、シュリンク包装に一般に使用されているもの、例えば、ポリオレフィン系樹脂、特にポリエチレンもしくはポリプロピレン、ポリアミド等が挙げられる。
【図面の簡単な説明】
【図１】全面収縮フィルムで包装した物体への開封用フィルムシールの溶着と開封の模式図である。
【図２】全面収縮フィルムと開封フィルムシールの溶着断面図を示す。
【図１】
2004059011.tif 000002
【図２】
2004059011.tif 000003